【手続補正書】
【提出日】平成23年2月18日(2011.2.18)
【手続補正１】
【補正対象書類名】特許請求の範囲
【補正対象項目名】全文
【補正方法】変更
【補正の内容】
【特許請求の範囲】
【請求項１】
放送波及びネットワークから番組の映像データを受信可能な受信部を有するテレビ放送受信装置であって、
放送波を介して放送される番組の放送時間を取得する取得手段と、
前記取得手段により取得された放送時間を保持部に保持させる保持手段と、
前記取得手段が放送波を介して放送される番組の放送時間を取得した場合は、該放送時間と、前記保持部に保持されている該番組について取得済みの放送時間とを比較し、放送時間が異なる場合に、該番組の放送時間が変更されていると判定する判定手段と、
前記判定手段により放送時間が変更されていると判定された番組については、該番組の変更前の放送時間を変更前放送時間として前記保持部に設定する設定手段と、
放送波のチャンネルの選局を指示する指示手段と、
前記指示手段からの指示で選局されたチャンネルで放送される番組であって、且つ前記変更前放送時間を有する番組の中に、選局時刻が前記変更前放送時間内に含まれる番組がある場合は、該番組の変更前放送時間に放送される同一番組を、ネットワークを介して放送される番組の中から検索する検索手段と、
前記検索手段の検索の結果、前記同一番組がある場合は、該番組の映像データを受信するように前記受信部を制御する制御手段と、
を有することを特徴とするテレビ放送受信装置。
【請求項２】
放送波及びネットワークから番組の映像データを受信可能な受信部を有するテレビ放送受信装置であって、
放送波を介して放送される番組の放送時間を取得する取得手段と、
前記取得手段により取得された放送時間を保持部に保持させる保持手段と、
前記取得手段が放送波を介して放送される番組の放送時間を取得した場合は、該放送時間と、前記保持部に保持されている該番組について取得済みの放送時間とを比較し、放送時間が異なる場合に、該番組の放送時間が変更されていると判定する判定手段と、
前記判定手段により放送時間が変更されていると判定された番組については、該番組の変更前の放送時間を変更前放送時間として前記保持部に設定する設定手段と、
放送波を介して放送される番組の電子番組表を表示部に表示させる表示制御手段と、
前記電子番組表上の番組を選択する選択手段と、
前記選択手段により選択された番組が、前記判定手段により放送時間が変更されていると判定された番組である場合は、前記選択手段により選択された番組の変更前放送時間と同一の放送時間に放送される同一番組を、ネットワークを介して放送される番組の中から検索する検索手段と、
前記検索手段の検索の結果、前記同一番組がある場合は、該番組の映像データを受信するように前記受信部を制御する制御手段と、
を有することを特徴とするテレビ放送受信装置。
【請求項３】
前記表示制御手段は、前記判定手段により放送時間が変更されていると判定された番組が前記電子番組表に表示される番組の中にある場合は、最新の番組編成と、放送時間変更前の番組編成とを含む電子番組表を表示部に表示し、
前記検索手段は、前記選択手段により選択された番組が、放送時間変更前の番組編成に対応した番組であって、且つ放送時間が変更されている番組であると前記判定手段が判定した場合は、前記選択手段により選択された番組について、前記保持部が保持する該番組の変更前放送時間と同一の放送時間に放送される同一番組を、ネットワークを介して放送される番組の中から検索することを特徴とする請求項２に記載のテレビ放送受信装置。
【請求項４】
放送波及びネットワークから番組の映像データを受信可能な受信部を有するテレビ放送受信装置であって、
放送波を介して放送される番組の放送時間を取得する取得手段と、
前記取得手段により取得された放送時間を保持部に保持させる保持手段と、
前記取得手段が放送波を介して放送される番組の放送時間を取得した場合は、該放送時間と、前記保持部により保持されている該番組について取得済みの放送時間とを比較して、放送時間が異なる場合に、該番組の放送時間が変更されていると判定する判定手段と、
前記判定手段により放送時間が変更されていると判定された番組については、該番組の変更前の放送時間を変更前放送時間として前記保持部に設定する設定手段と、
放送波を介して放送される番組の視聴予約が実行される前に、該視聴予約の対象番組が、前記判定手段により放送時間が変更されていると判定された番組である場合は、該視聴予約の対象番組について、前記保持部が保持する該番組の変更前放送時間と同一の放送時間に放送される同一番組を、ネットワークを介して放送される番組の中から検索する検索手段と、
前記検索手段の検索の結果、前記同一番組がある場合は、該番組の映像データを受信するように前記受信部を制御する制御手段と、
を有することを特徴とするテレビ放送受信装置。
【請求項５】
放送波及びネットワークから番組の映像データと該番組の番組情報とを受信可能な受信部を有するテレビ放送受信装置であって、
放送波を介して放送される番組に放送時間が変更される可能性があるか否かを、前記受信部により受信された該番組の番組情報に基づいて判定する判定手段と、
放送波を介して放送される番組を選択する選択手段と、
前記選択手段により選択された番組に放送時間が変更される可能性があると前記判定手段が判定した場合は、放送時間が変更される可能性のない同一番組を、ネットワークを介して放送される番組の中から、前記受信部により受信された該番組の番組情報に基づいて検索する検索手段と、
前記検索手段の検索の結果、前記同一番組がある場合は、該番組の視聴予約に関する予約情報を生成する生成手段と、
前記生成手段により生成された予約情報を保持する保持手段と、
前記視聴予約の対象番組の映像データを受信するように、前記保持手段が保持する予約情報に基づいて、前記受信部を制御する制御手段と、
を有することを特徴とするテレビ放送受信装置。
【請求項６】
放送波及びネットワークから番組の映像データを受信可能な受信部を有するテレビ放送受信装置の制御方法であって、
放送波を介して放送される番組の放送時間を取得する取得工程と、
前記取得工程により取得された放送時間を保持部に保持させる保持工程と、
前記取得工程が放送波を介して放送される番組の放送時間を取得した場合は、該放送時間と、前記保持部に保持されている該番組について取得済みの放送時間とを比較し、放送時間が異なる場合に、該番組の放送時間が変更されていると判定する判定工程と、
前記判定工程により放送時間が変更されていると判定された番組については、該番組の変更前の放送時間を変更前放送時間として前記保持部に設定する設定工程と、
ユーザの指示に応じて、放送波のチャンネルに選局する選局工程と、
前記選局工程で選局されたチャンネルで放送される番組であって、且つ前記変更前放送時間を有する番組の中に、選局時刻が前記変更前放送時間内に含まれる番組がある場合は、該番組の変更前放送時間に放送される同一番組を、前記ネットワークを介して放送される番組の中から検索する検索工程と、
前記検索工程の検索の結果、前記同一番組がある場合は、該番組の映像データを受信するように前記受信部を制御する制御工程と、
を有することを特徴とするテレビ放送受信装置の制御方法。
【請求項７】
放送波及びネットワークから番組の映像データを受信可能な受信部を有するテレビ放送受信装置の制御方法であって、
放送波を介して放送される番組の放送時間を取得する取得工程と、
前記取得工程により取得された放送時間を保持部に保持させる保持工程と、
前記取得工程が放送波を介して放送される番組の放送時間を取得した場合は、該放送時間と、前記保持部により保持されている該番組について取得済みの放送時間とを比較して、放送時間が異なる場合に、該番組の放送時間が変更されていると判定する判定工程と、
前記判定工程により放送時間が変更されていると判定された番組については、該番組の変更前の放送時間を変更前放送時間として前記保持部に設定する設定工程と、
放送波を介して放送される番組の電子番組表を表示部に表示させる表示制御工程と、
ユーザの指示に応じて、前記電子番組表上の番組を選択する選択工程と、
前記選択工程で選択された番組が、前記判定工程により放送時間が変更されていると判定された番組である場合は、前記選択工程で選択された番組の変更前放送時間と同一の放送時間に放送される同一番組を、ネットワークを介して放送される番組の中から検索する検索工程と、
前記検索工程の検索の結果、前記同一番組がある場合は、該番組の映像データを受信するように前記受信部を制御する制御工程と、
を有することを特徴とするテレビ放送受信装置の制御方法。
【請求項８】
前記表示制御工程は、前記判定工程により放送時間が変更されていると判定された番組が前記電子番組表に表示される番組の中にある場合は、最新の番組編成と、放送時間変更前の番組編成とを含む電子番組表を表示部に表示し、
前記検索工程は、前記選択工程で選択された番組が、放送時間変更前の番組編成に対応した番組であって、且つ放送時間が変更されている番組であると前記判定工程が判定した場合は、前記選択工程で選択された番組について、前記保持部が保持する該番組の変更前放送時間と同一の放送時間に放送される同一番組を、ネットワークを介して放送される番組の中から検索することを特徴とする請求項７に記載のテレビ放送受信装置の制御方法。
【請求項９】
放送波及びネットワークから番組の映像データを受信可能な受信部を有するテレビ放送受信装置の制御方法であって、
放送波を介して放送される番組の放送時間を取得する取得工程と、
前記取得工程により取得された放送時間を保持部に保持させる保持工程と、
前記取得工程が放送波を介して放送される番組の放送時間を取得した場合は、該放送時間と、前記保持部により保持されている該番組について取得済みの放送時間とを比較して、放送時間が異なる場合に、該番組の放送時間が変更されていると判定する判定工程と、
前記判定工程により放送時間が変更されていると判定された番組については、該番組の変更前の放送時間を変更前放送時間として前記保持部に設定する設定工程と、
放送波を介して放送される番組の視聴予約が実行される前に、該視聴予約の対象番組が、前記判定工程により放送時間が変更されていると判定された番組である場合は、該視聴予約の対象番組について、前記保持部が保持する該番組の変更前放送時間と同一の放送時間に放送される同一番組を、前記ネットワークを介して放送される番組の中から検索する検索工程と、
前記検索工程の検索の結果、前記同一番組がある場合は、該番組の映像データを受信するように前記受信部を制御する制御工程と、
を有することを特徴とするテレビ放送受信装置の制御方法。
【請求項１０】
放送波及びネットワークから番組の映像データと該番組の番組情報とを受信可能な受信部を有するテレビ放送受信装置の制御方法であって、
放送波を介して放送される番組に放送時間が変更される可能性があるか否かを、前記受信部により受信された該番組の番組情報に基づいて判定する判定工程と、
ユーザの指示に応じて、放送波を介して放送される番組を選択する選択工程と、
前記選択工程で選択された番組に放送時間が変更される可能性があると前記判定工程が判定した場合は、放送時間が変更される可能性のない同一番組を、ネットワークを介して放送される番組の中から、前記受信部により受信された該番組の番組情報に基づいて検索する検索工程と、
前記検索工程の検索の結果、前記同一番組がある場合は、該番組の視聴予約に関する予約情報を生成する生成工程と、
前記生成工程により生成された予約情報を保持部に保持させる保持工程と、
前記視聴予約の対象番組の映像データを受信するように、前記保持部が保持する予約情報に基づいて、前記受信部を制御する制御工程と、
を有することを特徴とするテレビ放送受信装置の制御方法。
【手続補正２】
【補正対象書類名】明細書
【補正対象項目名】００１１
【補正方法】変更
【補正の内容】
【００１１】
上記目的を達成するために、本発明のテレビ放送受信装置は、放送波及びネットワークから番組の映像データを受信可能な受信部を有するテレビ放送受信装置であって、放送波を介して放送される番組の放送時間を取得する取得手段と、前記取得手段により取得された放送時間を保持部に保持させる保持手段と、前記取得手段が放送波を介して放送される番組の放送時間を取得した場合は、該放送時間と、前記保持部に保持されている該番組について取得済みの放送時間とを比較し、放送時間が異なる場合に、該番組の放送時間が変更されていると判定する判定手段と、前記判定手段により放送時間が変更されていると判定された番組については、該番組の変更前の放送時間を変更前放送時間として前記保持部に設定する設定手段と、放送波のチャンネルの選局を指示する指示手段と、前記指示手段からの指示で選局されたチャンネルで放送される番組であって、且つ前記変更前放送時間を有する番組の中に、選局時刻が前記変更前放送時間内に含まれる番組がある場合は、該番組の変更前放送時間に放送される同一番組を、ネットワークを介して放送される番組の中から検索する検索手段と、前記検索手段の検索の結果、前記同一番組がある場合は、該番組の映像データを受信するように前記受信部を制御する制御手段と、を有することを特徴とする。
【手続補正３】
【補正対象書類名】明細書
【補正対象項目名】００１２
【補正方法】変更
【補正の内容】
【００１２】
また、上記目的を達成するために、本発明のテレビ放送受信装置は、放送波及びネットワークから番組の映像データを受信可能な受信部を有するテレビ放送受信装置であって、放送波を介して放送される番組の放送時間を取得する取得手段と、前記取得手段により取得された放送時間を保持部に保持させる保持手段と、前記取得手段が放送波を介して放送される番組の放送時間を取得した場合は、該放送時間と、前記保持部に保持されている該番組について取得済みの放送時間とを比較し、放送時間が異なる場合に、該番組の放送時間が変更されていると判定する判定手段と、前記判定手段により放送時間が変更されていると判定された番組については、該番組の変更前の放送時間を変更前放送時間として前記保持部に設定する設定手段と、放送波を介して放送される番組の電子番組表を表示部に表示させる表示制御手段と、前記電子番組表上の番組を選択する選択手段と、前記選択手段により選択された番組が、前記判定手段により放送時間が変更されていると判定された番組である場合は、前記選択手段により選択された番組の変更前放送時間と同一の放送時間に放送される同一番組を、ネットワークを介して放送される番組の中から検索する検索手段と、前記検索手段の検索の結果、前記同一番組がある場合は、該番組の映像データを受信するように前記受信部を制御する制御手段と、を有することを特徴とする。
【手続補正４】
【補正対象書類名】明細書
【補正対象項目名】００１３
【補正方法】変更
【補正の内容】
【００１３】
また、上記目的を達成するために、本発明のテレビ放送受信装置は、放送波及びネットワークから番組の映像データを受信可能な受信部を有するテレビ放送受信装置であって、放送波を介して放送される番組の放送時間を取得する取得手段と、前記取得手段により取得された放送時間を保持部に保持させる保持手段と、前記取得手段が放送波を介して放送される番組の放送時間を取得した場合は、該放送時間と、前記保持部により保持されている該番組について取得済みの放送時間とを比較して、放送時間が異なる場合に、該番組の放送時間が変更されていると判定する判定手段と、前記判定手段により放送時間が変更されていると判定された番組については、該番組の変更前の放送時間を変更前放送時間として前記保持部に設定する設定手段と、放送波を介して放送される番組の視聴予約が実行される前に、該視聴予約の対象番組が、前記判定手段により放送時間が変更されていると判定された番組である場合は、該視聴予約の対象番組について、前記保持部が保持する該番組の変更前放送時間と同一の放送時間に放送される同一番組を、ネットワークを介して放送される番組の中から検索する検索手段と、前記検索手段の検索の結果、前記同一番組がある場合は、該番組の映像データを受信するように前記受信部を制御する制御手段と、を有することを特徴とする。
【手続補正５】
【補正対象書類名】明細書
【補正対象項目名】００１５
【補正方法】変更
【補正の内容】
【００１５】
また、上記目的を達成するために、本発明のテレビ放送受信装置の制御方法は、放送波及びネットワークから番組の映像データを受信可能な受信部を有するテレビ放送受信装置の制御方法であって、放送波を介して放送される番組の放送時間を取得する取得工程と、前記取得工程により取得された放送時間を保持部に保持させる保持工程と、前記取得工程が放送波を介して放送される番組の放送時間を取得した場合は、該放送時間と、前記保持部に保持されている該番組について取得済みの放送時間とを比較し、放送時間が異なる場合に、該番組の放送時間が変更されていると判定する判定工程と、前記判定工程により放送時間が変更されていると判定された番組については、該番組の変更前の放送時間を変更前放送時間として前記保持部に設定する設定工程と、ユーザの指示に応じて、放送波のチャンネルに選局する選局工程と、前記選局工程で選局されたチャンネルで放送される番組であって、且つ前記変更前放送時間を有する番組の中に、選局時刻が前記変更前放送時間内に含まれる番組がある場合は、該番組の変更前放送時間に放送される同一番組を、前記ネットワークを介して放送される番組の中から検索する検索工程と、前記検索工程の検索の結果、前記同一番組がある場合は、該番組の映像データを受信するように前記受信部を制御する制御工程と、を有することを特徴とする。
【手続補正６】
【補正対象書類名】明細書
【補正対象項目名】００１６
【補正方法】変更
【補正の内容】
【００１６】
また、上記目的を達成するために、本発明のテレビ放送受信装置の制御方法は、放送波及びネットワークから番組の映像データを受信可能な受信部を有するテレビ放送受信装置の制御方法であって、放送波を介して放送される番組の放送時間を取得する取得工程と、前記取得工程により取得された放送時間を保持部に保持させる保持工程と、前記取得工程が放送波を介して放送される番組の放送時間を取得した場合は、該放送時間と、前記保持部により保持されている該番組について取得済みの放送時間とを比較して、放送時間が異なる場合に、該番組の放送時間が変更されていると判定する判定工程と、前記判定工程により放送時間が変更されていると判定された番組については、該番組の変更前の放送時間を変更前放送時間として前記保持部に設定する設定工程と、放送波を介して放送される番組の電子番組表を表示部に表示させる表示制御工程と、ユーザの指示に応じて、前記電子番組表上の番組を選択する選択工程と、前記選択工程で選択された番組が、前記判定工程により放送時間が変更されていると判定された番組である場合は、前記選択工程で選択された番組の変更前放送時間と同一の放送時間に放送される同一番組を、ネットワークを介して放送される番組の中から検索する検索工程と、前記検索工程の検索の結果、前記同一番組がある場合は、該番組の映像データを受信するように前記受信部を制御する制御工程と、を有することを特徴とする。
【手続補正７】
【補正対象書類名】明細書
【補正対象項目名】００１７
【補正方法】変更
【補正の内容】
【００１７】
また、上記目的を達成するために、本発明のテレビ放送受信装置の制御方法は、放送波及びネットワークから番組の映像データを受信可能な受信部を有するテレビ放送受信装置の制御方法であって、放送波を介して放送される番組の放送時間を取得する取得工程と、前記取得工程により取得された放送時間を保持部に保持させる保持工程と、前記取得工程が放送波を介して放送される番組の放送時間を取得した場合は、該放送時間と、前記保持部により保持されている該番組について取得済みの放送時間とを比較して、放送時間が異なる場合に、該番組の放送時間が変更されていると判定する判定工程と、前記判定工程により放送時間が変更されていると判定された番組については、該番組の変更前の放送時間を変更前放送時間として前記保持部に設定する設定工程と、放送波を介して放送される番組の視聴予約が実行される前に、該視聴予約の対象番組が、前記判定工程により放送時間が変更されていると判定された番組である場合は、該視聴予約の対象番組について、前記保持部が保持する該番組の変更前放送時間と同一の放送時間に放送される同一番組を、前記ネットワークを介して放送される番組の中から検索する検索工程と、前記検索工程の検索の結果、前記同一番組がある場合は、該番組の映像データを受信するように前記受信部を制御する制御工程と、を有することを特徴とする。
【手続補正８】
【補正対象書類名】明細書
【補正対象項目名】００３４
【補正方法】変更
【補正の内容】
【００３４】
ここでチャンネル識別情報は、チャンネルを識別する情報であり、本実施例では、ネットワーク識別子やサービス識別子を用いる。なお、ネットワーク識別子及びサービス識別子は、ＮＩＴに含まれている。また、系列識別情報は、放送事業者の系列を識別する情報であり、受信種別情報は、放送方式（地上波放送、ＩＰ放送）を示す情報である。そして、伝送情報は、放送方式が地上波放送の場合は周波数を示し、放送方式がＩＰ放送の場合は、ＩＰ放送に用いられるパケットの宛先アドレスや宛先ポート番号を示す。